(57)【要約】【課題】レストランなどでタコスを良好に保持してサーブすることができるタコススタンドを提供する。【解決手段】タコスを載置して保持するタコススタンドである。内側の具をトルティーヤにより包むように保持した状態でタコスを保持するタコス保持部２が、スタンド本体１上に少なくとも１個設けられる。タコス保持部２を略水平に保持するための脚部５，６がスタンド本体１の底部に設けられる。【選択図】図１
0003121563.tif 000002
【実用新案登録請求の範囲】
【請求項１】
タコスを載置して保持するタコススタンドであって、
内側の具をトルティーヤにより包むように保持した状態でタコスを保持するタコス保持部が、スタンド本体上に少なくとも１個設けられ、該タコス保持部を略水平に保持するための脚部が該スタンド本体の底部に設けられたことを特徴とするタコススタンド。
【請求項２】
前記タコス保持部は、略Ｕ字状に曲げられたＵ字保持部として形成されていることを特徴とする請求項１記載のタコススタンド。
【請求項３】
前記スタンド本体は、金属線材を曲折して形成され、タコスを保持するタコス保持部は、金属線材を略Ｕ字状に曲折し、該スタンド本体の前と後に、前Ｕ字保持部と後Ｕ字保持部を設けて形成されることを特徴とする請求項１記載のタコススタンド。
【考案の詳細な説明】
【技術分野】
【０００１】
本考案は、レストランなどでタコスを顧客にサーブする際などに使用され、タコスを良好に載置して保持することができるタコススタンドに関する。
【背景技術】
【０００２】
近年、レストランなどにおいて、料理として、タコスが顧客に提供されている。タコスは、揚げたトルティーヤ或はベイクしたトルティーヤに、ミート、チーズ、トマト、レタス、タコスソースなどの具を包んで食する料理であるが、従来は、トルティーヤによりチーズ、レタスなどの具を包み、それをお皿に載せて、顧客に提供していた。
【０００３】
このため、タコスをお皿に載せた場合、必然的に、タコスの姿勢はお皿の上で倒れた状態となりやすく、タコスが倒れた姿勢になると、トルティーヤの包みが開いてしまったり、内側の具がトルティーヤからはみ出て見苦しくなるという課題があった。
【特許文献１】登録実用新案公報第３０４６１７０号公報
【考案の開示】
【考案が解決しようとする課題】
【０００４】
そこで、内側の具をトルティーヤに形良く包んだ状態のタコスを、そのまま保持しながら、レストランなどで、顧客に提供する器具が要望されているが、従来、上記特許文献１に記載されるような、ブックエンド状の食品立てなどがあるのみで、タコスを良好な姿勢に保持して、顧客などに提供するものが存在しないという課題があった。
【０００５】
本考案は、上記の点に鑑みなされたもので、レストランなどでタコスを良好に保持してサーブすることができるタコススタンドを提供することを目的とする。
【課題を解決するための手段】
【０００６】
本考案は、上記の課題を解決するために、タコスを載置して保持するタコススタンドであって、内側の具をトルティーヤにより包むように保持した状態でタコスを保持するタコス保持部が、スタンド本体上に少なくとも１個設けられ、該タコス保持部を略水平に保持するための脚部が該スタンド本体の底部に設けられたことを特徴とする。
【０００７】
ここで、上記タコス保持部は、略Ｕ字状に曲げられたＵ字保持部として形成することができる。また、上記スタンド本体は、金属線材を曲折して形成され、タコスを保持するタコス保持部は、金属線材を略Ｕ字状に曲折し、スタンド本体の前と後に、前Ｕ字保持部と後Ｕ字保持部を設けて形成することができる。
【考案の効果】
【０００８】
タコスは、揚げたトルティーヤ或はベイクしたトルティーヤに、ミート、チーズ、トマト、レタス、タコスソースなどの具を包んだ状態で、タコススタンドのタコス保持部に載置され、レストランの顧客などにサーブする。
【０００９】
このとき、タコスは、タコススタンドのタコス保持部内に、ミート、チーズ、レタス、トマトなどの具をトルティーヤに良好に包んだ状態で、トルティーヤの開口部を上にして載置されて収容される。このため、お皿の上に載せたタコスのように、タコスが倒れて内部の具がトルティーヤからはみ出してしまうことはない。
【００１０】
したがって、顧客がタコスを手に持って食べる際、タコスを容易に把持することができ、また、顧客がタコスを持って食する際には、トルティーヤの内側にミート、チーズ、野菜などの具が良好に納まることとなり、顧客はタコスを口に入れやすく、トルティーヤと共にタコスの具を美味しく食することができる。
【考案を実施するための最良の形態】
【００１１】
以下、本考案の一実施形態を図面に基づいて説明する。図１はタコススタンドの斜視図を示し、図２はその使用状態の斜視図を示している。このタコススタンドは、そのスタンド本体１が、１本のステンレスなどの金属線材を、所定の形状に曲折して形成され、スタンド本体１上には、例えば４個のタコス保持部２が並設されるように形成されている。
【００１２】
各タコス保持部２は、タコスを適正な状態で、その開口部を上向けて保持するように収容する形状、つまりトルティーヤを略Ｕ字状に折り曲げ、その内側に具を入れて包み、その開口部を上にした姿勢でタコスを保持するように形成され、それらを略水平に保持するための脚部５，６がスタンド本体１の底部に設けられている。
【００１３】
タコスを保持する４個のタコス保持部２は、金属線材を略Ｕ字状の波形に曲折することにより、スタンド本体１の前と後に、前Ｕ字保持部３と後Ｕ字保持部４を略水平に設け、具を内側に入れてＵ字状にトルティーヤで包んだタコスを、開口部から露出する具が、上を向いた姿勢で保持されるように、タコス保持部２は形成されている。
【００１４】
ここでは、スタンド本体１上に４個のタコス保持部２が形成されているが、タコス保持部は、５個以上、或いは３個設けることもできる。スタンド本体１は、平面を略長方形として形成され、前部に前Ｕ字保持部３を設け、後部に後Ｕ字保持部４を設け、左右の端部下側に、脚部５，６を設けるように、１本の金属線を曲げて形成されている。前Ｕ字保持部３と後Ｕ字保持部４の間隔は、タコスの大きさつまりトルティーヤの直径より少し短く形成されている。前Ｕ字保持部３と後Ｕ字保持部４は正確にＵ字状とする必要はなく、上方が開くように拡開された波形或いは谷形形状であってもよい。
【００１５】
このようなタコススタンドは、１本のステンレス線などを曲げて形成することができるが、裁断された複数のステンレス線の両端部は突合せ部分を溶接し、或いは何らかの手段で相互に連結して形成することもできる。
【００１６】
上記のように形成されたタコススタンドは、レストランなどで、タコスＴを調理し、顧客にサーブする際に、使用される。
【００１７】
タコスＴは、揚げたトルティーヤ或はベイクしたトルティーヤに、ミート、チーズ、トマト、レタス、タコスソースなどの具を包んで作られるが、揚げたトルティーヤを使う場合、トルティーヤは予め略Ｕ字状に曲げた状態で、加熱した油に入れられ、揚げられる。したがって、揚がったトルティーヤは略Ｕ字状となっており、そのＵ字状のトルティーヤを、そのままその開口部を上に向けて、タコススタンドのタコス保持部２に載置する。そして、それらのＵ字状のトルティーヤの内部に、ミート、チーズ、レタス、トマトなどの具を入れ、その上からタコスソースをかけて完成である。
【００１８】
このとき、揚げたＵ字状のトルティーヤは、タコススタンドのタコス保持部２で、確実にその開口部を上に向けた姿勢で保持されるため、調理の際、トルティーヤの内部にチーズ、野菜などの具を入れる際、簡単に具をトルティーヤ内に入れて、調理の盛り付けを容易に行うことができる。
【００１９】
この状態のタコスＴ、つまりタコススタンドに載置されたタコスＴを、顧客のテーブルにそのまま運んでサーブするのであるが、図２に示すように、タコススタンドのタコス保持部２に保持されたタコスＴは、倒れたり具がはみ出したりせずに、正しい上向きの姿勢を保つことができ、顧客にはタコスＴを美しい状態でサーブすることができる。
【００２０】
そして、顧客がタコスを手に持って食べる際、タコススタンド上のタコスＴを容易に把持することができる。また、顧客がタコスＴを持って食する際には、トルティーヤの内側にミート、チーズ、野菜などの具が良好に納まっており、顧客はタコスを口に入れやすく、トルティーヤと共にタコスの具を美味しく食することができる。
【００２１】
図３は他の実施形態のタコススタンドを示している。このタコススタンドは、上記と同様に、４個のタコスＴを載置するものであるが、４個のタコスＴは、スタンド本体１１の長手方向に対し、少し斜めになって並べられるようにしている．
すなわち、４個のタコス保持部１２は、上記と同様に、金属線材を略Ｕ字状の波形に曲折することにより、スタンド本体１１の前と後に、４個の前Ｕ字保持部１３と後Ｕ字保持部１４を略水平に設けて形成されるが、このタコス保持部１２の各前Ｕ字保持部１３は、各後Ｕ字保持部１４に対しその位置を少し左側にずらすことにより、各タコス保持部１２の向きを斜めにずらすようにしている。スタンド本体１１は、上記と同様に、平面を略長方形として形成され、左右の端部下側に、脚部１５，１６が設けられ、水平に載置可能とし、１本の金属線を曲げて形成されている。
【００２２】
このように構成されたタコススタンドは、上記と同様に、レストランなどでタコスを顧客にサーブする際に使用され、具を内側に入れてＵ字状にトルティーヤで包んだタコスＴを、開口部から露出する具が上を向いた姿勢で保持されるように、各タコス保持部１２内に入れて載置する。このとき、図４のように、タコスＴは、スタンド本体１１の長手方向に対しその向きを少し斜めにずらして保持されるから、タコスＴをより美しく並べて盛り付けることができ、見栄えの良いタコスを顧客にサーブすることができる。
【００２３】
そして、顧客がタコスを手に持って食べる際、上記と同様に、タコススタンド上のタコスＴを容易に把持することができ、顧客がタコスＴを持って食する際には、トルティーヤの内側にミート、チーズ、野菜などの具が良好に納まっており、顧客はタコスを口に入れやすく、トルティーヤと共にタコスの具を美味しく食することができる。
【００２４】
なお、上記実施形態では、スタンド本体１、１１の上に４個のタコス保持部２，１２を設けたが、図５のように、２個のタコス保持部２２をスタンド本体２１上に設けることもでき、また、図６のように、１個のタコス保持部３２をスタンド本体３１上に設けることもできる。
【００２５】
また、上記実施形態では、金属線を曲げてスタンド本体を形成したが、金属線の他に、金属板を曲げて形成することもでき、或いは、合成樹脂によりスタンド本体或いはタコス保持部などをＵ字状に成形することもできる。
【図面の簡単な説明】
【００２６】
【図１】本考案の一実施形態を示すタコススタンドの斜視図である。
【図２】使用状態を示すタコススタンドの斜視図である。
【図３】他の実施形態を示すタコススタンドの斜視図である。
【図４】同タコススタンドの使用状態を示す斜視図である。
【図５】２個のタコス保持部を設けたタコススタンドの斜視図である。
【図６】１個のタコス保持部を設けたタコススタンドの斜視図である。
【符号の説明】
【００２７】
１  スタンド本体
２  タコス保持部
３  前Ｕ字保持部
４  後Ｕ字保持部
５  脚部
６  脚部
【図１】
0003121563.tif 000003
【図２】
0003121563.tif 000004
【図３】
0003121563.tif 000005
【図４】
0003121563.tif 000006
【図５】
0003121563.tif 000007
【図６】
0003121563.tif 000008